(57)【特許請求の範囲】
【請求項１】
板状電熱体と収容部材と加圧センサと温度制御部とを有し、
前記板状電熱体は電源に接続されて発熱する構成を有し、
前記収容部材は弾力性の網から成って全体が板状で内部に収容部を有し、前記収容部に前記板状電熱体を収容しており、
前記加圧センサは前記収容部材に加わる厚み方向の圧力を検出するよう前記収容部材の内部に設けられ、
前記温度制御部は前記加圧センサが検出した圧力の大きさに応じて前記板状電熱体の温度を下げるよう温度調節可能であることを、
特徴とする電気あんか。
【請求項２】
電源スイッチと発光部とを有し、
前記電源スイッチは透光部を備えたスイッチケースを有し前記板状電熱体と前記電源との間に接続され、
前記発光部は前記板状電熱体のオン・オフに合わせてオン・オフに切り替わるよう前記電源スイッチを介して前記電源に接続され、前記透光部を通して外部に発光可能に前記スイッチケースの内部に設けられていることを、
特徴とする請求項１記載の電気あんか。
【発明の詳細な説明】
【技術分野】
【０００１】
本発明は、電気あんかに関する。
【背景技術】
【０００２】
従来の電気あんかとして、平型薄板に構成され、寝た状態で足を上に乗せて保温できるものがある（例えば、特許文献１参照）。
【０００３】
【特許文献１】実開昭６３−７４１１３号公報
【特許文献２】実開昭６１−１４２２１０号公報
【発明の開示】
【発明が解決しようとする課題】
【０００４】
しかしながら、特許文献１記載の電気あんかでは、足を長時間のせていると低温火傷をするおそれがあるという課題があった。
【０００５】
本発明は、このような課題に着目してなされたもので、低温火傷を防ぐことができる電気あんかを提供することを目的としている。
【課題を解決するための手段】
【０００６】
上記目的を達成するために、本発明に係る電気あんかは、板状電熱体と収容部材と加圧センサと温度制御部とを有し、前記板状電熱体は電源に接続されて発熱する構成を有し、前記収容部材は弾力性の網から成って全体が板状で内部に収容部を有し、前記収容部に前記板状電熱体を収容しており、前記加圧センサは前記収容部材に加わる厚み方向の圧力を検出するよう前記収容部材の内部に設けられ、前記温度制御部は前記加圧センサが検出した圧力の大きさに応じて前記板状電熱体の温度を下げるよう温度調節可能であることを、特徴とする。
【０００７】
本発明に係る電気あんかは、寝た状態で板状の収容部材の上に足をのせて使用される。板状電熱体を電源に接続して発熱させることにより、足を保温することができる。収容部材は弾力性の網から成るため、足を乗せた感じが柔らかく、足が疲れにくくなっている。板状電熱体は網から成る収容部に収容されているので、足が直接、板状電熱体に触れるのを防ぎ、長時間の使用による低温火傷を防止することができる。また、収容部材は、網から成るため、板状電熱体からの熱を効率よく拡散させることができる。本発明に係る電気あんかは、板状電熱体が収容部に収容されているため、水平方向に沿わせて使用するほか、垂直方向に立てて使用することもできる。
【０００８】
板状電熱体には、市販の線面発熱体や面状発熱体のほか、市販の板状の電気あんかを使用してもよい。また、収容部材は、布製のカバーなどで覆われていることが好ましい。
【０００９】
本発明に係る電気あんかは、収容部材の上に足をのせて収容部材に厚み方向の圧力が加わると、その圧力を加圧センサが検出して、温度制御部により板状電熱体の温度を下げるよう調節することができる。これにより、足の重みで、弾力性の網から成る収容部材が薄くなり、足が板状電熱体に近づくと、加圧センサが検出する圧力が大きくなり、板状電熱体の温度が下がる。このため、足が板状電熱体に近づき過ぎて足の加熱温度が上昇し、熱く感じたり低温火傷を起こしたりするのを防止することができる。従って、足の重さや収容部材にかかる重さにかかわらず、弾力的で足を乗せた感じを柔らかく保ちながら、快適な温度に調節することができる。
本発明に係る電気あんかで、前記温度制御部は前記加圧センサが検出した圧力の大きさが所定の大きさ以上のとき、前記板状電熱体の電源をオフにしてもよい。この場合、さらに低温火傷や故障を起こしにくくすることができる。
【００１０】
本発明に係る電気あんかは、電源スイッチと発光部とを有し、前記電源スイッチは透光部を備えたスイッチケースを有し前記板状電熱体と前記電源との間に接続され、前記発光部は前記板状電熱体のオン・オフに合わせてオン・オフに切り替わるよう前記電源スイッチを介して前記電源に接続され、前記透光部を通して外部に発光可能に前記スイッチケースの内部に設けられていてもよい。この電源スイッチと発光部とを有する構成では、発光部の発光を確認することにより、板状電熱体のオン・オフの状態が一目でわかる。発光部は暗い部屋の中で光って目立つため、電源スイッチの切り忘れを防止することができる。発光部は電源スイッチのスイッチケースの内部に設けられているので、電源スイッチの操作とともに板状電熱体のオン・オフを確認することができる。
【発明の効果】
【００１１】
本発明によれば、低温火傷を防ぐことができる電気あんかを提供することができる。
【発明を実施するための最良の形態】
【００１２】
以下、図面に基づき、本発明の実施の形態について説明する。
図１および図２は、本発明の実施の形態の電気あんかを示している。
図１に示すように、電気あんか１は、板状電熱体２と収容部材３と電気コード４と中間スイッチ５とカバー６とを有している。
【００１３】
板状電熱体２は、矩形板状の市販の線面発熱体から成る。板状電熱体２は、電源に接続されて発熱する構成を有している。板状電熱体２は、表面にシート状のゴムが貼り付けられ、裏面に熱を均一に伝えるためにアルミ箔が貼り付けられている。なお、板状電熱体２は、アルミ箔を貼り付ける代わりに、アルミ箔製の袋に封入してあってもよい。この袋には、空気抜き用の穴があけられたものを用いる。
【００１４】
収容部材３は、長目状の鉄製の網から成り、弾力性を有している。収容部材３は、全体が矩形の板状で、板状電熱体２よりやや大きく、内部に収容部３ａを有している。収容部材３は、収容部３ａに板状電熱体２を収容している。
【００１５】
電気コード４は、一端が収容部材３の網目を通って板状電熱体２の側部に接続されている。電気コード４は、家屋の壁面に設けられた電気コンセントから電源をとるため、他端に電気コンセントに接続可能なプラグ４ａを有している。電気コード４は、板状電熱体２に電源からの電気を供給可能である。
【００１６】
中間スイッチ５は、電源のオン・オフを表示する表示窓５ａと円形の透光部５ｂとを備えたスイッチケース５ｃを有している。中間スイッチ５は、電気コード４の中央部に設けられ、板状電熱体２と電源との間に接続されている。図２に示すように、中間スイッチ５は、スイッチケース５ｃの内部に、電源スイッチ７と発光部８と抵抗９とを有している。
【００１７】
電源スイッチ７は、電源のオン・オフを切換可能な押し込み式のスイッチから成る。電源スイッチ７は、連動する２つの端子を有し、プラグ４ａの２つの端子にそれぞれ直列に接続されている。発光部８は赤色の発光ダイオードから成り、各電源スイッチ７より板状電熱体２の側で、板状電熱体２と並列に接続されている。発光部８は、板状電熱体２のオン・オフに合わせてオン・オフに切り替わるよう電源スイッチ７を介して電源に接続されている。発光部８は、透光部５ｂの内側に配置され、透光部５ｂを通して外部に発光可能に設けられている。抵抗９は、発光部８に流れる電流を調節するため、発光部８と直列に接続されている。
【００１８】
カバー６は、布製であり、収容部材３を覆っている。カバー６は、ファスナー付きの開口を有し、開口から収容部材３を出し入れ可能である。
【００１９】
なお、具体的な一例では、板状電熱体２は幅が３２０ｍｍ、奥行きが２６０ｍｍ、定格電圧が１００Ｖ、消費電力が２１Ｗ、表面温度が最高で５０度である。発光部８は消費電力が０．００２Ｗである。抵抗９は２５ｋΩである。
【００２０】
次に、作用について説明する。
電気あんか１は、寝た状態で板状の収容部材３の上に足をのせて使用される。プラグ４ａを電気コンセントに差し込み、板状電熱体２を電源に接続して発熱させることにより、足を保温することができる。収容部材３は弾力性の網から成るため、足を乗せた感じが柔らかく、足が疲れにくくなっている。板状電熱体２は網から成る収容部３ａに収容されているので、足が直接、板状電熱体２に触れるのを防ぎ、長時間の使用による低温火傷を防止することができる。また、収容部材３は、網から成るため、板状電熱体２からの熱を効率よく拡散させることができる。なお、電気あんか１は、板状電熱体２が収容部に収容されて保護されているため、水平方向に沿わせて使用するほか、垂直方向に立てて使用することもできる。
【００２１】
電気あんか１は、発光部８の発光を確認することにより、板状電熱体２のオン・オフの状態が一目でわかる。発光部８は暗い部屋の中で光って目立つため、電源スイッチ７の切り忘れを防止することができる。発光部８はスイッチケース５ｃの内部に設けられているので、電源スイッチ７の操作とともに板状電熱体２のオン・オフを確認することができる。
【００２２】
なお、３日間連続使用テストを行った結果、中間スイッチ５は温度が最高で４０度までしか上昇しなかった。この結果から、電気あんか１は、使用中に発光部８や抵抗９の発熱により火傷や火災を起こすおそれがなく、安全性が高いことがわかる。
【００２３】
図３に示すように、電気あんか１は加圧センサ１０と温度制御部１１とを有していてもよい。加圧センサ１０は、収容部材３に加わる厚み方向の圧力を検出するよう収容部材３の内部に設けられる。温度制御部１１は、加圧センサ１０が検出した圧力の大きさに応じて板状電熱体２の温度を下げるよう温度調節可能である。加圧センサ１０は、薄い板状で、収容部材３の内部で板状電熱体２の表面中央付近に配置されている。温度制御部１１は、板状電熱体２の一つの角付近の側部に設けられ、ケーブル１２を介して加圧センサ１０と接続されている。温度制御部１１は、電気コード４が接続されている。
【００２４】
この加圧センサ１０と温度制御部１１とを有する構成では、電気あんか１は、収容部材３の上に足をのせて収容部材３に厚み方向の圧力が加わると、その圧力を加圧センサ１０が検出して、温度制御部１１により板状電熱体２の温度を下げるよう調節することができる。これにより、足の重みで、弾力性の網から成る収容部材３が薄くなり、足が板状電熱体２に近づくと、加圧センサ１０が検出する圧力が大きくなり、板状電熱体２の温度が下がる。このため、足が板状電熱体２に近づき過ぎて足の加熱温度が上昇し、熱く感じたり低温火傷を起こしたりするのを防止することができる。従って、足の重さや収容部材３にかかる重さにかかわらず、弾力的で足を乗せた感じを柔らかく保ちながら、快適な温度に調節することができる。また、加圧センサ１０が検出した圧力の大きさが所定の大きさ以上のとき、温度制御部１１により板状電熱体２の電源をオフにする。これにより、さらに低温火傷や故障を起こしにくくすることができる。
【図面の簡単な説明】
【００２５】
【図１】本発明の実施の形態の電気あんかを示す一部を切り欠いた斜視図である。
【図２】図１に示す電気あんかの回路図である。
【図３】図１に示す電気あんかの加圧センサと温度制御部とを有する変形例を示す一部を切り欠いた斜視図である。
【符号の説明】
【００２６】
１    電気あんか
２    板状電熱体
３    収容部材
４    電気コード
５    中間スイッチ
６    カバー
７    電源スイッチ
８    発光部
９    抵抗
１０  加圧センサ
１１  温度制御部
【要約】
【課題】低温火傷を防ぐことができる電気あんかを提供する。
【解決手段】板状電熱体２は、電源に接続されて発熱する構成を有している。収容部材３は、弾力性の網から成って全体が板状で内部に収容部３ａを有し、収容部３ａに板状電熱体２を収容している。電源スイッチ７は、透光部５ｂを備えたスイッチケース５ｃを有し、板状電熱体２と電源との間に接続されている。発光部８は、板状電熱体２のオン・オフに合わせてオン・オフに切り替わるよう電源スイッチ７を介して電源に接続されている。発光部８は、透光部５ｂを通して外部に発光可能にスイッチケース５ｃの内部に設けられている。
【選択図】図１
【図１】
0003628682.tif 000002
【図２】
0003628682.tif 000003
【図３】
0003628682.tif 000004